(57)【要約】【課題】スレッド入り印刷物をさらに偽造困難にするために、スレッドに固有情報を形成したスレッド入り印刷物及びこの作製方法を提供することを目的とするものである。【解決手段】プラスチックフィルムをベースとし、少なくとも薄い金属層が形成されたスレッドが基紙の一部に表出するように抄きこまれた印刷物であって、スレッドが表出する基紙面には、固有情報が形成され、基紙の一部に表出したスレッドの前記金属層には、前記固有情報の一部、または、固有情報に関連する情報が金属層の破壊によって形成されたスレッド入り印刷物及びこの作製方法を提供する。【選択図】  図１
2008183799.tif 000002
【特許請求の範囲】
【請求項１】
プラスチックフィルムをベースとし、少なくとも薄い金属層が形成されたスレッドが基紙の一部に表出するように抄きこまれた印刷物であって、
スレッドが表出する基紙面には、固有情報が形成され、
基紙の一部に表出したスレッドの前記金属層には、前記固有情報の一部、または、固有情報に関連する情報が金属層の破壊によって形成されたことを特徴とするスレッド入り印刷物。
【請求項２】
請求項１に記載のスレッド入り印刷物において、
金属層は、保護層または接着剤層に被覆されて表出していることを特徴とするスレッド入り印刷物。
【請求項３】
請求項１，２何れかに記載のスレッド入り印刷物において、
金属層の基紙側には、更に、色彩可変層が形成されたことを特徴とするスレッド入り印刷物。
【請求項４】
請求項１〜３何れかに記載のスレッド入り印刷物の作製方法であって、
スレッドが表出する基紙面に形成された固有情報は、印刷または／及びプリンター印字によって形成され、
スレッドの金属層に形成された固有情報の一部、または、固有情報に関連する情報は、レーザーによって形成されたことを特徴とするスレッド入り印刷物の作製方法。
【請求項５】
請求項４に記載のスレッド入り印刷物の作製方法において、
スレッドが表出する基紙面の固有情報が印刷によって形成された時は、スレッドの金属層に形成された固有情報の一部または固有情報に関連する情報は、スレッドが表出する基紙面に印刷された光学読取り情報を読み取って形成されたことを特徴とするスレッド入り印刷物の作製方法。
【発明の詳細な説明】
【技術分野】
【０００１】
本発明は、スレッド面に固有情報が形成されたスレッド入り印刷物とその作製方法に関する。
【背景技術】
【０００２】
従来から、紙の層間にスレッドと呼ばれるプラスチックの薄い帯、または、金糸などを挿入した偽造防止用紙が紙幣をはじめとする有価証券類に多く使用されてきた。
近年では、高度な技術によって作製されたホログラムがプラスチックフィルム上に形成され、スレッド状にして用紙の間に抄き込んで偽造防止用紙として使用されている。
前記スレッド入り用紙に関しては、偽造防止効果をより高めるために、スレッドの幅を広くしてスレッドを見やすくしたり、スレッドを複数にする試みが行われている。
しかし、スレッドの幅を広くすると、スレッドの価格が高くなりコストアップとなる。
また、商品券などにおいて、スレッドが見えている面の裏面の偽造防止を強化するとなると、さらにホログラムの箔を設けるなどをしなければならず、やはりコストアップとなる。
そこで、偽造防止用紙に窓を設け、スレッドを表裏両方の面から見えるようにした「スレッド入り偽造防止用紙」が提供されている（例えば、特許文献１参照）。
この「スレッド入り偽造防止用紙」は、スレッド紙に、表裏を貫通する開口部を設け、表裏からスレッドを確認できるようにしたものである。また、窓の部分を独特な形状にすることで、意匠性を高めることにより偽造・改竄を一層困難にすることができるとしている。
【０００３】
【特許文献１】特開２００１−１７２８９７号公報
【発明の開示】
【発明が解決しようとする課題】
【０００４】
特許文献１に開示されている技術は、偽造防止効果を高めるために用紙の表裏を貫通する開口部を設け、そこにスレッドを通したものである。
そこで本発明では、スレッド入り印刷物をさらに偽造困難とするために、スレッドに固有情報を形成したスレッド入り印刷物及びこの作製方法を提供することを目的とするものである。
【課題を解決するための手段】
【０００５】
前記課題の目的を達成するために、本発明のスレッド入り印刷物の第一の態様は、プラスチックフィルムをベースとし、少なくとも薄い金属層が形成されたスレッドが基紙の一部に表出するように抄きこまれた印刷物であって、スレッドが表出する基紙面には、固有情報が形成され、基紙の一部に表出したスレッドの前記金属層には、前記固有情報の一部、または、固有情報に関連する情報が金属層の破壊によって形成されたことを特徴とするものである。
【０００６】
また、第二の態様は、第一の態様において、金属層は、保護層または接着剤層に被覆されて表出していることを特徴とするものである。
【０００７】
また、第三の態様は、第一、第二何れかの態様において、金属層の基紙側には、更に、色彩可変層が形成されたことを特徴とするものである。
【０００８】
また、第四の態様は、第一から第三何れかの態様のスレッド入り印刷物の作製方法であって、スレッドが表出する基紙面に形成された固有情報は、印刷または／及びプリンター印字によって形成され、スレッドの金属層に形成された固有情報の一部、または、固有情報に関連する情報は、レーザーによって形成されたことを特徴とするものである。
【０００９】
また、第五の態様は、第四の態様において、スレッドが表出する基紙面の固有情報が印刷によって形成された時は、スレッドの金属層に形成された固有情報の一部または固有情報に関連する情報は、スレッドが表出する基紙面に印刷された光学読取り情報を読み取って形成されたことを特徴とするものである。
【発明の効果】
【００１０】
１）本発明のスレッド入り印刷物の第一の態様のように、プラスチックフィルムをベースとし、少なくとも薄い金属層が形成されたスレッドが基紙の一部に表出するように抄きこまれた印刷物であって、スレッドが表出する基紙面には、固有情報が形成され、基紙の一部に表出したスレッドの前記金属層には、前記固有情報の一部、または、固有情報に関連する情報が金属層の破壊によって形成されたことによって、スレッド自体が偽造防止手段になっている上に、スレッド表出面に固有情報の一部が形成されたことによって偽造防止効果をより高めることができる。
２）また、第二の態様のように、第一の態様において、金属層は、保護層または接着剤層に被覆されて表出していることによって、スレッドと基紙との接着性を高め、金属層（固有情報形成部）を腐蝕などから保護することができる。
３）また、第三の態様のように、第一、第二何れかの態様において、金属層の基紙側には、更に、色彩可変層が形成されたことによって、より偽造防止効果を高めることができる。
４）また、第四の態様のように、第一から第三何れかの態様のスレッド入り印刷物の作製方法であって、スレッドが表出する基紙面に形成された固有情報は、印刷または／及びプリンター印字によって形成され、スレッドの金属層に形成された固有情報の一部、または、固有情報に関連する情報は、レーザーによって形成されたことによって、微細な固有情報を高速で形成（記録）することができる。
５）また、第五の態様は、第四の態様において、スレッドが表出する基紙面の固有情報が印刷によって形成された時は、スレッドの金属層に形成された固有情報の一部または固有情報に関連する情報は、スレッドが表出する基紙面に印刷された光学読取り情報を読み取って形成されたことによって、印刷、または、印字とは別ラインでスレッド上に固有情報を形成することができる。
【発明を実施するための最良の形態】
【００１１】
以下、図面を参照して、本発明のスレッド入り印刷物及び作成方法について説明する。
図１は、本発明のスレッド入り印刷物の一例について説明するための図，図２は、図１のａ図のＢ−Ｂ線断面について説明するための図，図３は、図１のｂ図のＣ−Ｃ線断面について説明するための図，図４は、本発明のスレッド入り印刷物の作製方法の一例について説明するための図，図５は、スレッド入り印刷用紙の製造方法一例について説明するための図，である。
【００１２】
図１のａ図を参照して、本発明のスレッド入り印刷物の一例について説明する。
図に示すスレッド入り印刷物１の例は、本発明のスレッド入り用紙を使用した「商品券」の例である。
スレッド２は、抄紙段階で上層紙１１と下層紙１２の間に形成され、上層紙に部分的に形成された複数の開口部（図でＡが指し示す部分）で表出している。
開口部は、商品券の短辺側に５〜１０個形成され、スレッドが抄き込みの段階で左右にぶれるために開口部の幅はスレッド２より多少広めに設定される。
また、開口部の数及びピッチなどは、商品券の仕上げ寸法を考慮して抄紙段階で設定される。
その結果、開口部は、紙が印刷を終えて商品券として裁断されたときに、どの商品券に対しても凡そ同じ位置に配置される。
【００１３】
スレッド２の表面には水性、又は、熱可塑性の接着剤が塗布されており、抄紙工程で上層紙１１に固定されるようになっている。
商品券には、その商品券が「いくらの商品券」であるかを示す「金種」３が固有情報として印刷される。
図１に示す商品券は、１０，０００円の商品券で、商品券の表示の下側に金種３が漢字で「壱万円」と印刷される。
商品券の左下（場所は、左下に限定されない）には、光学読取り情報３１がバーコードで印刷されている。光学読取り情報３１は、二次元コードでも、ＯＣＲ（光学読取り文字）でもよい。
この光学読取り情報３１は、前述の固有情報「壱万円」を表すコードになっているか、または、「壱万円に関連する情報」を表すコードになっている。
前述の「商品券」，「壱万円」，「光学読取り情報」などは、上層紙側に印刷され、開口部と同一面に印刷される。
【００１４】
開口部に表出したスレッドには商品券の固有情報「壱万」円の一部、または、固有情報に関連した情報が形成される。
スレッドへの固有情報の形成は、印刷機とは異なる装置で行われる。
印刷機とは異なる装置、例えば、レーザー装置で、スレッドへの前記固有情報の一部または固有情報に関連した情報の形成を行う際に、レーザー装置は前述の商品券に印刷された光学読取り情報３１を読み取ってどのような情報を形成するか決定する。
そのために、「壱万円」と印刷された金種３と、バーコードで示した光学読取り情報３１は完全に一致していることが必要で、同一の版に焼き付けるなどの配慮が行われる。
【００１５】
図１のｂ図を参照して、開口部のスレッド表出部について説明する。
斜線で示した開口部Ａは上層紙１１に形成され、開口部からは下層紙１２が表出している。
図ｂに示す例では、開口部Ａは、スレッド２の幅の２〜５倍の幅を有している。
開口部に表出しているスレッド２には、スレッド入り印刷物に印刷された金種情報「壱万円」の一部情報である「壱」がレーザー装置によって形成されている。
「壱」の部分は、スレッドの表出部に形成されている薄い金属層が破壊され、薄い金属層の下側に形成された層が表出している部分である。
【００１６】
図２を参照して、図１のａ図のＢ−Ｂ線断面について説明する。
スレッド入り印刷物１には、上層紙１１と下層紙１２の間にスレッド２が抄き込まれている。
スレッド２は、プラスチックフィルム２４の片側に色彩可変層２３，金属層２１，接着剤層または保護層２２が順次形成された積層体になっている。
金属層２１は接着剤層または保護層２２に被覆された状態で形成されており、破壊によって金種情報が形成された部分からは、色彩可変層２３が表出している。
【００１７】
図３を参照して、図１のｂ図のＣ−Ｃ線断面について説明する。
図２でも説明したように、スレッド２は、上層紙１１と下層紙１２の間に抄き込まれていて、プラスチックフィルムの片側に色彩可変層２３，金属層２１，接着剤層または保護層２２が順次形成された積層体になっている。
金属層２１は、接着剤層または保護層２２に被覆された状態で形成されており、破壊によって金種情報が形成された部分からは色彩可変層２３が表出している。
スレッド２は、上層紙１１に形成されたトンネルを埋める状態で形成されており、接着剤層または保護層２２は、スレッド２を上層紙１１に接着する役割と金属層を保護する役割を担う。
図示しないが、スレッド２のプラスチックフィルム２４の裏側に接着剤層を設け、下層紙１２と接着させても良い。その場合は、接着剤層または保護層２２は保護層だけの役割を担う。
【００１８】
図３を参照して、スレッドを形成する各層の材料の一例について説明する。
先ず、スレッド２のベースフィルムであるプラスチックフィルム２４について説明する。
プラスチックフィルム２４として、例えば、ポリエチレンテレフタレート，ポリカーボネート，ポリビニルアルコール，ポリスチレン，ポリエチレン，ポリプロピレン，トリアセチルセルロース，塩化ビニル，生分解性プラスチックス，合成紙などで、これらの中から選択されて使用される。
上記プラスチックフィルム２４には、基紙に抄き込まれて使用されるために柔らかくて薄い材料が使用される。通常、１２〜２５μｍの厚みのものが使用される。
また、スレッドの幅は、スレッドに使用される材料によって異なるが、多くは、０．２ｍｍ〜５ｍｍ程度で使用される。
【００１９】
次に、色彩可変層２３について説明する。
本実施の形態では、色彩可変層２３について、光回折構造の例で説明する。
光回折構造は、プラスチックのベースフィルムの片側に、多くは、熱硬化性の樹脂層が形成され、熱硬化性の樹脂層に凹凸構造が形成され、凹凸構造の上に、多くは、金属による反射層が形成され、その上に粘着剤層または保護層が形成される。
凹凸構造を形成する材料として、不飽和ポリエステル，メラミン，エポキシ，ウレタン，エポキシ，アクリルなどの前記熱硬化性樹脂の他に、ポリ塩化ビニル，ポリスチレン，ポリカーボネートなどの熱可塑性樹脂、または、熱硬化性樹脂と熱可塑性樹脂の混合物やラジカル重合性不飽和基を有する樹脂を使用することもできる。また、耐光性及び耐候性などの耐久性に優れた電離放射線硬化樹脂を選択する場合は、エポキシ変性アクリレート樹脂，ウレタン変性アクリレート樹脂，アクリル変性ポリエステルなどの電離放射線硬化性樹脂を硬化させたものを使用する。
【００２０】
次に、金属層２１について説明する。
色彩可変層が前述のように光回折構造の場合は、この金属層２１は本発明の固有情報を形成する役割の他に、光回折構造形成層の凹凸面に反射性を与える役割を担う。
金属層２１として、例えば、アルミニウム，ニッケル，クロム，チタン，テルル，インジウム，錫，亜鉛，胴，鉄などの金属または、これらの合金，酸化物，硫化物，窒化物などが使用される。
金属層２１は、印字装置のパワーと金属の種類によって厚さが設定される。
また、金属層の厚さは、０．０１〜１μｍの範囲で設定される。
金属層を形成する方法としては、真空蒸着法，スパッタリング法，イオンブレーティング法などがあり、目的によって使い分ける。
【００２１】
次に、接着剤層または保護層２２について説明する。
接着剤層に使用する接着剤は、公知の水溶性，熱可塑性接着剤から選択して使用する。
水溶性接着剤としては、例えば、澱粉，カゼイン，カルボキシメチルセルローズ，カルボキシエチルセルローズなどから、熱可塑性接着剤としては公知のビニル系，ワックス系接着剤から選択して使用する。
保護層形成樹脂として、例えば、ジペンタエリスリトールペンタアクリレート、ジペンタエリスリトールヘキサアクリレートなどの多官能樹脂を使用する。
保護層は、０．５〜５μｍ程度の厚さで使用する。
また、接着剤層または保護層の形成方法として、グラビアコート，ダイコート，ナイフコート，ロールコートなどの一般的なコーティング方法、および、シルクスクリーンなどの印刷方法から選択して使用する。
【００２２】
図４を参照して、本発明のスレッド入り印刷物の作製方法の一例について説明する。
図４は、レーザー印字装置について説明するための図である。
一般的なレーザーは、光共振器の中に入れたレーザー媒質を励起して反転分布状態にして動作させる。
レーザーには、媒質の種類により固体レーザー，気体レーザー，半導体レーザー，色素レーザー，エキシマーレーザーなどがある。
レーザー光は、完全に位相が揃ったコヒーレント光で、スペクトル幅が極めて狭く、更に干渉性が著しく、指向性の鋭い細いビームの光線である。
レーザー光の連続発振出力は、１０μＷから１００ｋＷまで、ピーク出力は１Ｗから１００ＴＷである。
また、パルス幅は通常１μｓから１ｐｓである。広く利用されている産業用レーザーとして、気体レーザーではＣＯ２レーザー、固体レーザーではＮｄ：ＹＡＧレーザー，Ｎｄ：ＹＶＯ４レーザーなどがある。
【００２３】
本実施の形態では、媒質として、ネオジウム（Ｎｄ３＋）をドープしたＹＡＧ（Ｙ３ＡＩ５Ｏ１２）ロッドを使用したＮｄ：ＹＡＧレーザー（発振波長１．０６４μｍ）を使用する。なお、印字（破壊）する対象によってレーザーのスポット径を調整して使用するが通常１０〜５０μｍ程度で使用する。
【００２４】
図に示すように、スレッド２は、上層紙１１の開口部から部分的に表出しており、基紙（上層紙１１）の表面から若干低い位置に形成されており、破壊印字方式としてサーマル破壊方式や、放電破壊方式が使い難い状態になっている。
まず、レーザー印字装置の搬送部によって、スレッド入り印刷物を矢印方向（スレッド２に平行な方向）に移動する。
レーザー印字装置は、図１で説明したスレッド入り印刷物に印刷された光学読み取り部（図示せず）を読み取って、スレッドに印字する情報種を決定する。
レーザー印字装置の印字ヘッド４の位置検知部４２で開口部の始まりを検知し、印字部４２によって印字情報を印字する。
金属層２１の金属はレーザーの熱によって融解し微細な球となり、接着層または保護層２２と色彩可変層２３の間にとどまる。
破壊された金属層２１の間から固有情報の一部が色彩可変層２３面として表出する。
【００２５】
図５を参照して、スレッド入り印刷用紙の製造方法一例について説明する。
下層紙用の紙料懸濁液が入った糟５１０の下層紙形成ユニット５１で下層紙１１の紙料を吸い上げ、毛布５４上に転移させる。
上層紙形成ユニット５２には上層紙１１の開口部を形成するための型が、金属，樹脂，紙などで作製されて取り付けられている。
開口部の型は、長方形，正方形，円など任意の形状とすることができる。
上層紙形成ユニット５２で吸い上げられた上層紙１１用の紙料が、移動してきた下層紙１２上に重ねられ、スレッド２が下層紙１２と上層紙１１が積層される直前で挿入されて抄紙される。
積層された下層紙１２と上層紙１１は、毛布５４に転移された状態で抄紙機の乾燥装置５３の中に移動する。
乾燥装置５３の中で、スレッド２に形成された水溶性接着剤が乾燥されて（接着剤が熱可塑性の接着剤であれば、熱で活性化されて）スレッド２と上層紙１１が接着、固定される。
【産業上の利用可能性】
【００２６】
本発明のスレッド入り印刷物は、紙幣，小切手，株券，債券，商品券，紙カード，機密文書，パスポート，身分証明書など、偽造が心配される分野に利用される。
【図面の簡単な説明】
【００２７】
【図１】本発明のスレッド入り印刷物の一例について説明するための図である。
【図２】図１のａ図のＢ−Ｂ線断面について説明するための図である。
【図３】図１のｂ図のＣ−Ｃ線断面について説明するための図である。
【図４】本発明のスレッド入り印刷物の作製方法の一例について説明するための図である。
【図５】スレッド入り印刷用紙の製造方法一例について説明するための図である。
【符号の説明】
【００２８】
１      スレッド入り印刷物
２      スレッド
３      金種
４      印字ヘッド
１１    上層紙
１２    下層紙
２１    金属層
２２    接着剤層または保護層
２３    色彩可変層
２４    プラスチックフィルム
３１    光学読取り情報
４１    印字部
４２    位置検知部
５１    下層紙形成ユニット
５２    上層紙形成ユニット
５３    乾燥装置
５４    毛布
５１０，５２０  槽
Ａ      開口部
【図１】
2008183799.tif 000003
【図２】
2008183799.tif 000004
【図３】
2008183799.tif 000005
【図４】
2008183799.tif 000006
【図５】
2008183799.tif 000007